(57)【要約】【課題】言語切替操作のために必要な特別な手間が不要であり，オペレータの希望する言語表示に迅速かつ容易に切り替えることのできる画像形成装置および電子機器を提供すること。【解決手段】本コピー機は操作パネル１を有し，階層ごとの条件設定項目に対応した設定ボタンを配置した設定画面を操作パネル１に表示するＬＣＤ表示部１７と，操作パネル１の表示言語を指定するパネル制御部１０と，表示言語が未指定であるときに，設定ボタンを複数の領域に区分して各領域内に異なる言語にてボタン名を表示するＬＣＤ表示部１７と，表示言語が既指定であるときに，その指定がなされた操作により新たに表示された階層の設定ボタン中に，当該指定言語のみでボタン名を表示する表示言語切替部２０とを有し，パネル制御部１０は，設定ボタン中に異なる言語にて表示されているボタン名のうち，押下された領域の言語を指定する。【選択図】            図１
2006195220.tif 000002
【特許請求の範囲】
【請求項１】
操作に関する表示およびその表示に対する指示の受付とを行う操作パネルを有する画像形成装置において，
階層ごとの条件設定項目に対応した設定ボタンを配置した設定画面を前記操作パネルに表示する設定画面表示部と，
前記操作パネルの表示言語を指定する言語指定部と，
前記言語指定部の指定の内容が未指定であるときに，設定ボタンを複数の領域に区分して各領域内に異なる言語にてボタン名を表示する複数言語表示部と，
前記言語指定部の指定の内容が既指定であるときに，その指定がなされた操作により新たに表示された階層の設定ボタン中に，当該指定言語のみでボタン名を表示する指定言語表示部とを有し，
前記言語指定部は，前記複数言語表示部により設定ボタン中に表示されているボタン名の領域が押下されると，そのボタン名の言語を指定することを特徴とする画像形成装置。
【請求項２】
請求項１に記載の画像形成装置において，
前記操作パネルに表示される設定画面を初期階層のものに戻すとともに，前記言語指定部の指定を解除するリセット部を有することを特徴とする画像形成装置。
【請求項３】
請求項１または請求項２に記載の画像形成装置において，
前記複数言語表示部または前記指定言語表示部によるボタン名の言語表示が，表示される設定ボタンの一部について行われることを特徴とする画像形成装置。
【請求項４】
操作に関する表示およびその表示に対する指示の受付とを行う操作パネルを有する画像形成装置において，
階層ごとの条件設定項目に対応した設定ボタンを配置した設定画面を前記操作パネルに表示する設定画面表示部と，
前記操作パネルの表示言語を指定する言語指定部と，
前記操作パネルの操作により新たに表示された階層の設定ボタン中に，前記言語指定部で指定されている表示言語でボタン名を表示する指定言語表示部と，
前記指定言語表示部により指定されている表示言語での表示が行われているときに，表示言語の確定を受け付ける言語確定部と，
前記言語確定部が表示言語の確定を受け付けた後は，前記操作パネルに表示されるすべての階層の設定ボタン中に，確定している表示言語でボタン名を表示する確定言語表示部とを有することを特徴とする画像形成装置。
【請求項５】
請求項４に記載の画像形成装置において，
前記言語確定部で受け付けた表示言語の確定を記憶する不揮発性メモリを有することを特徴とする画像形成装置。
【請求項６】
請求項４または請求項５に記載の画像形成装置において，
前記操作パネルに表示される設定画面を初期階層のものに戻すとともに，表示言語の指定および確定を解除するリセット部を有することを特徴とする画像形成装置。
【請求項７】
請求項４から請求項６までのいずれか１つに記載の画像形成装置において，
前記言語指定部の指定の内容が未指定であるときに，設定ボタンを複数の領域に区分して各領域内に異なる言語にてボタン名を表示する複数言語表示部と，
前記言語指定部の指定の内容が既指定であるときに，その指定がなされた操作により新たに表示された階層の設定ボタン中に，当該指定言語のみでボタン名を表示する指定言語表示部と，
前記操作パネルに表示される設定画面を一操作前の階層のものに戻す戻り部とを有し，
前記言語指定部は，前記複数言語表示部により設定ボタン中に表示されているボタン名の領域が押下されるとそのボタン名の言語を指定し，
前記戻り部は，表示言語の指定が未確定である場合には表示言語の指定状況をも一操作前のものに戻し，表示言語の指定が既確定である場合には表示言語の指定および確定をそのままとすることを特徴とする画像形成装置。
【請求項８】
操作に関する表示およびその表示に対する指示の受付とを行う操作パネルを有する電子機器において，
階層ごとの条件設定項目に対応した設定ボタンを配置した設定画面を前記操作パネルに表示する設定画面表示部と，
前記操作パネルの表示言語を指定する言語指定部と，
前記言語指定部の指定の内容が未指定であるときに，設定ボタンを複数の領域に区分して各領域内に異なる言語にてボタン名を表示する複数言語表示部と，
前記言語指定部の指定の内容が既指定であるときに，その指定がなされた操作により新たに表示された階層の設定ボタン中に，当該指定言語のみでボタン名を表示する指定言語表示部とを有し，
前記言語指定部は，前記複数言語表示部により設定ボタン中に表示されているボタン名の領域が押下されると，そのボタン名の言語を指定することを特徴とする電子機器。
【請求項９】
操作に関する表示およびその表示に対する指示の受付とを行う操作パネルを有する電子機器において，
階層ごとの条件設定項目に対応した設定ボタンを配置した設定画面を前記操作パネルに表示する設定画面表示部と，
前記操作パネルの表示言語を指定する言語指定部と，
前記操作パネルの操作により新たに表示された階層の設定ボタン中に，前記言語指定部で指定されている表示言語でボタン名を表示する指定言語表示部と，
前記指定言語表示部により指定されている表示言語での表示が行われているときに，表示言語の確定を受け付ける言語確定部と，
前記言語確定部が表示言語の確定を受け付けた後は，前記操作パネルに表示されるすべての階層の設定ボタン中に，確定している表示言語でボタン名を表示する確定言語表示部とを有することを特徴とする電子機器。
【発明の詳細な説明】
【技術分野】
【０００１】
本発明は，コピー機，プリンタ等の画像形成装置および電子機器一般に関する。さらに詳細には，その装置を操作するためにオペレータが指示入力できるとともに，オペレータに対して情報を表示する操作パネルを有する画像形成装置および電子機器に関するものである。
【背景技術】
【０００２】
従来より，コピー機やプリンタ等の画像形成装置を始めとする電子機器では，一般に，操作パネルとしてテンキーやスタートキー等の入力キーやＬＣＤ等のタッチパネルを有するものが用いられている。近年，電子機器が多機能化するにつれて，オペレータが操作パネルの操作によって選択設定できる画像形成モードはますます複雑になる傾向にある。そのため，ＬＣＤ等の表示デバイスに設定方法やモード内容の説明を表示して，オペレータの操作を誘導するオペレータ誘導型の操作パネルが主流となっている。多国籍のオペレータが１台の電子機器をシェアする使用環境においては，各オペレータがその説明を理解できるために，操作パネルの表示言語を適宜切り替える必要が生じる。
【０００３】
このような表示言語の切り替え方法としては，従来より言語選択画面を選択表示させてその画面中で選択操作を行うものがある。さらには，オペレータの操作性向上のために，言語選択画面の言語切替方法を，一覧表示と順次表示とから選択できる電子機器（画像形成装置）が提案されている（例えば，特許文献１参照。）。あるいは，言語選択画面での言語選択肢の表示を，その選択肢の言語だけでなく他の言語でも表示するものも提案されている（例えば，特許文献２参照。）。さらには，スキャンされた印刷物の言語情報に基づいて，操作パネルの言語表示を設定するものも提案されている（例えば，特許文献３参照。）。
【特許文献１】特開２００１−２６０４９９号公報
【特許文献２】特開２００２−２５４７７５号公報
【特許文献３】特開２００３−２０９６４３号公報
【発明の開示】
【発明が解決しようとする課題】
【０００４】
しかしながら，前記した従来の電子機器では，特許文献１あるいは特許文献２に記載のようにその操作性を向上させたとしても，言語選択画面へ移動し，そこで切替操作を行うという手間が必要であることは従来のものと同様である。また，特許文献３の技術では，適切な印刷物を携帯する必要がある。さらには，本来の目的である画像形成操作の前にスキャンを実行させる必要が有り，オペレータにとって手間が増えている。
【０００５】
本発明は，前記した従来の画像形成装置および電子機器が有する問題点を解決するためになされたものである。すなわちその課題とするところは，言語切替操作のために必要な特別な手間が不要であり，オペレータの希望する言語表示に迅速かつ容易に切り替えることのできる画像形成装置および電子機器を提供することにある。
【課題を解決するための手段】
【０００６】
この課題の解決を目的としてなされた画像形成装置は，操作に関する表示およびその表示に対する指示の受付とを行う操作パネルを有する画像形成装置であって，階層ごとの条件設定項目に対応した設定ボタンを配置した設定画面を操作パネルに表示する設定画面表示部と，操作パネルの表示言語を指定する言語指定部と，言語指定部の指定の内容が未指定であるときに，設定ボタンを複数の領域に区分して各領域内に異なる言語にてボタン名を表示する複数言語表示部と，言語指定部の指定の内容が既指定であるときに，その指定がなされた操作により新たに表示された階層の設定ボタン中に，当該指定言語のみでボタン名を表示する指定言語表示部とを有し，言語指定部は，複数言語表示部により設定ボタン中に表示されているボタン名の領域が押下されると，そのボタン名の言語を指定するものである。
【０００７】
本発明の画像形成装置によれば，表示言語が指定されていない状態では，複数言語表示部によって，設定ボタンが複数の領域に区分されて各領域内に異なる言語にてボタン名が表示される。すなわち，１つの設定機能を有するボタンの領域が，複数の言語で表示されるとともにそれぞれ別の領域として区分される。さらに，言語指定部によって，それらの複数の領域のうち押下された領域に表示されていた言語が，表示言語として指定される。従って，オペレータは，設定しようとするボタンのうち希望の言語で表示されている部分を押下するのみでよい。これにより，言語切替操作のために必要な特別な手間が不要であり，オペレータの希望する言語表示に迅速かつ容易に切り替えることのできる画像形成装置となっている。
【０００８】
さらに本発明では，操作パネルに表示される設定画面を初期階層のものに戻すとともに，言語指定部の指定を解除するリセット部を有することが望ましい。
このようなものであれば，オペレータが変更した場合等に，言語指定を含む各種の表示設定を容易に元に戻すことができる。
【０００９】
さらに本発明では，複数言語表示部または指定言語表示部によるボタン名の言語表示が，表示される設定ボタンの一部について行われることが望ましい。
例えば，コピー枚数等の数字や，Ａ４，Ｂ５等の用紙サイズの表示に関しては，言語に関わりなく共通である。また例えば，ボタン押下による指示によって新たに表示された階層部分以外が元の表示のままであれば，誤って希望しない言語を選択してしまった場合にも，容易に選択し直すことができる。
【００１０】
また，本発明の画像形成装置は，操作に関する表示およびその表示に対する指示の受付とを行う操作パネルを有する画像形成装置であって，階層ごとの条件設定項目に対応した設定ボタンを配置した設定画面を操作パネルに表示する設定画面表示部と，操作パネルの表示言語を指定する言語指定部と，操作パネルの操作により新たに表示された階層の設定ボタン中に，言語指定部で指定されている表示言語でボタン名を表示する指定言語表示部と，指定言語表示部により指定されている表示言語での表示が行われているときに，表示言語の確定を受け付ける言語確定部と，言語確定部が表示言語の確定を受け付けた後は，操作パネルに表示されるすべての階層の設定ボタン中に，確定している表示言語でボタン名を表示する確定言語表示部とを有するものであってもよい。
【００１１】
このような画像形成装置によれば，言語確定部を有するので，言語指定部で指定されている表示言語に確定される。従って，言語の確定は容易である。
【００１２】
さらに本発明では，言語確定部で受け付けた表示言語の確定を記憶する不揮発性メモリを有することが望ましい。
このようなものであれば，確定された表示言語は電源が遮断されても保持される。従って，言語が確定された状態を保持できる。
【００１３】
さらに本発明では，操作パネルに表示される設定画面を初期階層のものに戻すとともに，表示言語の指定および確定を解除するリセット部を有することが望ましい。
このようなものであれば，オペレータが変更した場合等に，言語指定を含む各種の表示設定を容易に元に戻すことができる。
【００１４】
さらに本発明では，言語指定部の指定の内容が未指定であるときに，設定ボタンを複数の領域に区分して各領域内に異なる言語にてボタン名を表示する複数言語表示部と，言語指定部の指定の内容が既指定であるときに，その指定がなされた操作により新たに表示された階層の設定ボタン中に，当該指定言語のみでボタン名を表示する指定言語表示部と，操作パネルに表示される設定画面を一操作前の階層のものに戻す戻り部とを有し，言語指定部は，複数言語表示部により設定ボタン中に表示されているボタン名の領域が押下されるとそのボタン名の言語を指定し，戻り部は，表示言語の指定が未確定である場合には表示言語の指定状況をも一操作前のものに戻し，表示言語の指定が既確定である場合には表示言語の指定および確定をそのままとすることが望ましい。
【００１５】
このようなものであれば，一旦表示言語が確定されれば，戻り部によって設定画面を一操作前の階層のものに戻す指示がなされても，表示言語の指定および確定はそのままとされる。従って，オペレータは希望する言語で新たなモード設定等を行うことができる。
【００１６】
また本発明は，操作に関する表示およびその表示に対する指示の受付とを行う操作パネルを有する電子機器であって，階層ごとの条件設定項目に対応した設定ボタンを配置した設定画面を操作パネルに表示する設定画面表示部と，操作パネルの表示言語を指定する言語指定部と，言語指定部の指定の内容が未指定であるときに，設定ボタンを複数の領域に区分して各領域内に異なる言語にてボタン名を表示する複数言語表示部と，言語指定部の指定の内容が既指定であるときに，その指定がなされた操作により新たに表示された階層の設定ボタン中に，当該指定言語のみでボタン名を表示する指定言語表示部とを有し，言語指定部は，複数言語表示部により設定ボタン中に表示されているボタン名の領域が押下されると，そのボタン名の言語を指定する電子機器にも及ぶ。
【００１７】
また本発明は，操作に関する表示およびその表示に対する指示の受付とを行う操作パネルを有する電子機器であって，階層ごとの条件設定項目に対応した設定ボタンを配置した設定画面を操作パネルに表示する設定画面表示部と，操作パネルの表示言語を指定する言語指定部と，操作パネルの操作により新たに表示された階層の設定ボタン中に，言語指定部で指定されている表示言語でボタン名を表示する指定言語表示部と，指定言語表示部により指定されている表示言語での表示が行われているときに，表示言語の確定を受け付ける言語確定部と，言語確定部が表示言語の確定を受け付けた後は，操作パネルに表示されるすべての階層の設定ボタン中に，確定している表示言語でボタン名を表示する確定言語表示部とを有する電子機器にも及ぶ。
【発明の効果】
【００１８】
本発明の画像形成装置および電子機器によれば，言語切替操作のために必要な特別な手間が不要であり，オペレータの希望する言語表示に迅速かつ容易に切り替えることができる。
【発明を実施するための最良の形態】
【００１９】
以下，本発明を具体化した最良の形態について，添付図面を参照しつつ詳細に説明する。本形態は，操作パネルを備えたコピー機に本発明を適用したものである。
【００２０】
本形態のコピー機は，図１に示すように，オペレータが入力操作するための操作パネル１とその操作パネル１を制御するパネル制御部１０とを有している。また，コピー処理を行うための原稿読取部２，画像形成部３，用紙搬送部４を有している。さらに，画像データを処理し，画像形成用のデータを作成する画像処理部５，オペレータの操作に応じて画像形成モードを設定する画像形成モード設定部６，表示言語を記憶する不揮発性メモリ７を有している。
【００２１】
さらに，操作パネル１は，図２に示すように，ＬＣＤパネル１１とテンキー１２，プリントキー１３，ストップキー１４，パネルリセットキー１５，言語切替確定キー１６を有している。これらに対応して，図１に示すパネル制御部１０は，ＬＣＤ表示部１７，ＬＣＤ入力部１８，キー入力部１９，表示言語切替部２０を有している。
【００２２】
ＬＣＤパネル１１は，言語メッセージやビットマップイメージを表示するＬＣＤと，オペレータの押下操作による入力を受けるタッチスクリーンとが重ね合わされて構成されている。パネル制御部１０のＬＣＤ表示部１７は，このＬＣＤパネル１１への表示を制御する。また，ＬＣＤ入力部１８では，ＬＣＤパネル１１の押下を受けた時，押下箇所とそのときの表示状態との対応から入力内容を得る。
【００２３】
また，操作パネル１のテンキー１２は，印字枚数設定や各種番号入力等に使用される。プリントキー１３はプリント開始指示に，ストップキー１４はプリント中断指示に使用される。パネルリセットキー１５は，ＬＣＤパネル１１の表示と画像形成モードとを初期状態に戻す時に使用される。言語切替確定キー１６は，言語メッセージを所定の言語に確定する時に入力される。パネル制御部１０のキー入力部１９は，これらのテンキー１２，プリントキー１３，ストップキー１４，パネルリセットキー１５，言語切替確定キー１６からの入力を受け，それぞれの処理を実行する。表示言語切替部２０は，ＬＣＤ入力部１８やキー入力部１９による言語切替指示を受けて，表示言語を切り替える。
【００２４】
このコピー機の初期状態において，操作パネル１のＬＣＤパネル１１には，図３に示すように表示される。このときのＬＣＤパネル１１の上部には，基本モード設定タブ２１，コピーモード設定タブ２２，濃度設定タブ２３，応用モード設定タブ２４がそれぞれ表示されている。この図中，実線と文字で示した部分はＬＣＤパネル１１上に表示される内容であるが，破線は後の説明のためのものであり，ＬＣＤパネル１１上に実際には表示されない。このように各種の設定タブや設定ボタン等が操作パネル１に表示されているとき，パネル制御部１０のＬＣＤ表示部１７は，設定画面表示部として機能している。
【００２５】
さらに，この状態では基本モード設定タブ２１が開かれ，その中に，仕上げ設定ボタン２５，倍率設定ボタン２６，用紙設定ボタン２７が表示されている。また，メッセージ表示欄２８には，コピー機の状態を示すメッセージと，コピー枚数を示す数字（図では「１」）が表示されている。数字を除く全てのタブやボタンの内容説明とメッセージ文は，同じ内容の日本語と英語とが「／」で区切って並列表示されている。
【００２６】
ここで，ＬＣＤパネル１１上の各タブやボタンの入力領域は，破線で示すように区分されている。例えば，基本モード設定タブ２１の領域は，図中左側で「基本」表示部分に対応する基本タブ２１ａと，図中右側で「Ｂａｓｉｃ」表示部分に対応するＢａｓｉｃタブ２１ｂとを有している。他のタブやボタンの領域も全て，日本語表示部分（添え字「ａ」で示す）と英語表示部分（添え字「ｂ」で示す）とに区分されている。そして，オペレータによる押下入力を受けた時，ＬＣＤ入力部１８は，その区分された領域として，そのうちのどの領域が入力されたかの情報を取得できるようになっている。すなわち，この状態では，各種の設定ボタン等が複数の領域に区分されて，各領域内に異なる言語でそのボタン名が表示されている。従ってこのとき，パネル制御部１０のＬＣＤ表示部１７は，複数言語表示部として機能している。
【００２７】
次に，本形態のコピー機の動作を説明する。例えば，特別な設定を行わず，デフォルトの状態でコピーを行いたい場合には，オペレータは，原稿をセットしてプリントキー１３を押せばよい。そうすると，セットされた原稿の画像が原稿読取部２で読み取られ，自動的に選択されて用紙搬送部４によって搬送された用紙に，画像形成部３によって画像が形成される。こうして，原稿のコピーが形成される。
【００２８】
一方，デフォルト以外の画像形成モードを選択してコピー処理を行う場合には，オペレータは，操作パネル１を操作して必要な画像形成モードを選択することができる。そのためには，操作パネル１の各タブやボタンを選択して押下すればよい。例えば，両面コピーや２ｉｎ１コピー等の設定を行うには，コピーモード設定キー２２を選択押下する。また，濃度等の設定をするには濃度設定キー２３を選択する。また，ＯＨＰ合紙やイメージリピート等のモードを設定するには応用モード設定キー２４を選択する。また，仕上げ処理やコピー倍率，用紙選択等を行う場合は，仕上げ設定ボタン２５，倍率設定ボタン２６，用紙設定ボタン２７をそれぞれ選択する。
【００２９】
このとき，オペレータは，表示されている各ボタンやタブのうち，自分の希望する言語で表示されている部分を押下する。このようにすることにより，その言語が表示言語として選択される。パネル制御部１０は，ＬＣＤ入力部１８の入力信号を受けて，例えば，日本語表示部分が入力された場合には表示言語として日本語が選択されたと判断し，英語表示部分が入力された場合には英語が選択されたと判断する。そして選択された言語を表示言語として指定する。すなわち，パネル制御部１０は，複数言語で表示されているボタン等のうち，押下された領域に表示されていた言語を操作パネル１の表示言語として指定する。このときパネル制御部１０が言語指定部として機能している。
【００３０】
そして，この指示入力によって操作パネル１に新たに表示される階層の表示は，その指定された表示言語で行われる。表示言語切替部２０は，例えば，日本語が指定された場合には次階層のタブやボタンの内容説明やメッセージ等の表示言語を日本語のみとし，英語が指定された場合には英語のみとする。すなわち，オペレータの操作により表示言語が指定されたら，表示言語切替部２０は，その指定言語で各種のボタン名，表示メッセージ，操作説明等を表示する。このとき，表示言語切替部２０が指定言語表示部として機能している。これにより，このコピー機では，言語選択画面へ移動して選択する代わりに，タブやボタンに表示されている言語のうち，希望の言語によって表示されている部分を押すだけ言語の選択ができる。
【００３１】
例えば，オペレータが図３の画面中の用紙設定ボタン２７の日本語表示部分（用紙ボタン２７ａ）を押下した場合のＬＣＤパネル１１の表示状態を図４に示す。ここでは，用紙ボタン２７ａの押下によって日本語表示が選択されたので，用紙設定ボタン（図３では２７）の表示は日本語のみとなり，図４に示すように用紙ボタン３１に変更される。さらに，このボタン押下によって新たに表示される各選択肢も，「オート用紙」３２，「設定変更」３３のように日本語で表示される。一方，用紙サイズや供給トレイの選択用ボタン群３４は，ビットマップイメージとアラビア数字とで構成されている。この階層での選択を終了して一操作前の階層に戻すための戻りボタン３５も，日本語のみで「戻る」と表示される。
【００３２】
あるいは，オペレータが図３の画面中の用紙設定ボタン２７の英語表示部分（Ｐａｐｅｒボタン２７ｂ）を押下した場合のＬＣＤパネル１１の表示状態を図５に示す。ここでは，Ｐａｐｅｒボタン２７ｂによって英語表示が選択されたので，用紙設定ボタン（図３では２７）の表示は英語のみとなり，図５に示すようにＰａｐｅｒボタン４１に変更される。さらに，このボタン押下によって新たに表示される各選択肢も，「Ａｕｔｏ  Ｐａｐｅｒ」４２，「Ｍｏｄｅ  Ｃｈａｎｇｅ」４３のように英語で表示される。一方，用紙サイズや供給トレイの選択用ボタン群３４は，ビットマップイメージとアラビア数字とで構成されているので，英語表示であっても図４の場合と同様である。また，戻りボタン４５は英語で「Ｒｅｔｕｒｎ」と表示される。
【００３３】
戻りボタン３５，４５は，その階層での選択を終了して，操作パネル１の表示を一操作前の表示に戻すためのものである。この戻りボタン３５，４５が戻り部に相当する。例えば，図４や図５の状態でこの戻りボタン３５，４５が押下されると，両言語が併記された図３の状態に戻る。
【００３４】
一方，オペレータが表示言語を選択中のものに確定して，全ての階層の設定画面をその言語のみで表示させたい場合には，言語切替確定キー１６を押下する。すると，表示言語切替部２０は，以後の設定画面の表示をその確定された言語のみで行う。例えば，図５の状態で言語切替確定キー１６が押下された場合には，表示言語として英語が確定される。さらに，こうして表示言語が確定された後は，戻りボタン３５，４５が押下されて上階層に戻された場合でも，表示言語は選択されたもののままとなる。このとき，言語切替確定キー１６が言語確定部に，表示言語切替部２０が確定言語表示部に，それぞれ相当する。
【００３５】
すなわち，図５の状態で言語切替確定キー１６が押下された後，「Ｒｅｔｕｒｎ」と表示されている戻りボタン４５が押下されると，ＬＣＤパネル１の表示は図６のようになる。図３の初期状態では２言語併記であったタブやボタンが，全て英語のみの表示となり，各タブ５１，５２，５３，５４や各ボタン５５，５６，５７，メッセージ５８は英語のみで表示される。この状態では，図３の破線のような領域の区分はなく，タブやボタンに対応する領域の全体がその内容の指示操作に相当している。
【００３６】
さらに，言語切替確定キー１６によって表示言語が確定された場合には，この表示言語の種類が不揮発性メモリ７に記憶される。このメモリの内容は，電源切断時にも消去されない。本形態のコピー機は，電源が入れられるとまず，不揮発性メモリ７の内容を読み出す。そして，不揮発性メモリ７に記憶されている表示言語がある場合には，パネル制御部１０の表示言語切替部２０は，ＬＣＤパネル１１の表示言語としてその記憶されている言語を設定する。従って，言語切替確定キー１６によって表示言語の確定を行っておけば，次回電源を入れた時には自動的にその言語に設定される。
【００３７】
また，いずれの状態にある時でも，パネルリセットキー１５が押下された場合には，選択されている言語がリセットされ，図３の初期状態の設定画面に戻る。また，全ての画像形成モードもデフォルト状態に戻される。オペレータが交替した場合等にはこのキーを押すとよい。また，パネルリセットキー１５が押下されたときには，不揮発性メモリ７の記憶内容も消去される。このパネルリセットキー１５がリセット部に相当する。
【００３８】
以上詳細に説明したように，本形態のコピー機によれば，ＬＣＤパネル１１上に操作説明やメッセージ等の内容が日本語と英語との２つの言語で表示される。オペレータは，設定したいモード選択のためのタブ等のうち，希望言語で表示されている部分を押下するのみで，その希望言語が表示言語として選択される。すなわち，以後の説明文やメッセージ等は，オペレータの希望言語で表示されるので，オペレータ誘導型の操作パネル１であっても，その操作に迷うことはない。従って，表示言語の設定のために言語選択画面への移行等の操作は不要である。さらに，この選択された状態で言語切替確定キー１６を押下すればその選択が確定され，上位の階層へ戻ってもその表示言語での表示となる。また，不揮発性メモリ７へも表示言語情報が記憶されるので，電源切断後もその設定が保持される。これにより，言語切替操作のために必要な特別な手間が不要であり，オペレータの希望する言語表示に迅速かつ容易に切り替えることのできるコピー機となっている。
【００３９】
なお，本形態は単なる例示にすぎず，本発明を何ら限定するものではない。したがって本発明は当然に，その要旨を逸脱しない範囲内で種々の改良，変形が可能である。
例えば，上記の形態では，デフォルト画面の表示言語は日本語と英語としているが，この言語は他のものでもよいし，オペレータ等によって選択して入れ替えることが可能であるようにしてもよい。
また例えば，表示領域に余裕があれば，デフォルトの表示言語の数は２つに限らず，より多い種類で表示してもよい。
また，ボタンやタブの内容や数は上記の形態のものに限らない。
また，パネルリセットキー１５の操作と同様の機能をオートリセット機能で行ってもよい。あるいは，オートリセット機能では，画像形成モードのみをリセットして表示言語はリセットされないようにしてもよい。
また，パネルリセットキー１５や言語切替確定キー１６を独立キーとする代わりに，操作パネル１内に設けてもよい。
また，コピー機に限らず，プリンタ，ＦＡＸ等の画像形成装置にも適用可能である。また，表示と入力とをともに行う操作パネルを有する電子機器一般にも適用可能である。
【図面の簡単な説明】
【００４０】
【図１】本形態に係るコピー機の概略構成を示すブロック図である。
【図２】操作パネルを示す説明図である。
【図３】操作パネルの表示状態を示す説明図である。
【図４】操作パネルの表示状態を示す説明図である。
【図５】操作パネルの表示状態を示す説明図である。
【図６】操作パネルの表示状態を示す説明図である。
【符号の説明】
【００４１】
１  操作パネル
７  不揮発性メモリ
１０  パネル制御部（言語指定部）
１５  パネルリセットキー（リセット部）
１６  言語切替確定キー（言語確定部）
１７  ＬＣＤ表示部（設定画面表示部，複数言語表示部）
２０  表示言語切替部（指定言語表示部，確定言語表示部）
３５，４５  戻りボタン（戻り部）
【図１】
2006195220.tif 000003
【図２】
2006195220.tif 000004
【図３】
2006195220.tif 000005
【図４】
2006195220.tif 000006
【図５】
2006195220.tif 000007
【図６】
2006195220.tif 000008